(57)【要約】      （修正有）【課題】化学的損傷及び割れを最小にする、溝型誘導電気炉の溝型誘導子の提供。【解決手段】溝型誘導電気炉の通路誘導子であり、溶融金属が連通する基礎と入口を含む中央腕、出口を含む両側の腕を有する溝を備え、上方に延出した側壁、頂壁と頂壁に形成される鍋の耐熱材料内張りに設置する為のフランジを備え、溝中の溶融金属による化学的攻撃に対し抵抗するセラミック材料から単一要素ユニットとして形成されていて、溝型誘導電気炉の使用中における溶融金属と溝型誘導子との間の直接接触が（フランジを含んでいる）溝内張りとの接触にのみ限定され、そして、溶融金属は溝型誘導子の他の部位とは接触しない溝内張りと，外殻，耐熱材料の内張りを備えた支持体と，電磁コイルを備える溝型誘導子。【選択図】図２
2018059700.tif 000002
【特許請求の範囲】
【請求項１】
溝型誘導電気炉の溝型誘導子であって、溝型誘導子を通って流れる溶融金属の為の溝を規定している溝内張りを備えており、溝内張りは、溶融金属の為の入口及び出口そして溝内張りを溝型誘導子炉の鍋の耐熱材料内張りに設置する為のフランジを備えており、そして、溝内張りは溝中の溶融金属による化学的攻撃に対し抵抗するセラミック材料から形成されていて、これにより、溝型誘導電気炉の使用中における溶融金属と溝型誘導子との間の直接接触が（フランジを含んでいる）溝内張りのみとの接触に制限され、そして溶融金属は溝型誘導子の他の部位には接触しない、溝型誘導子。
【請求項２】
溝内張りは、単一Ｕの形状である溝を伴っている細長いユニットである、請求項１中に規定されている溝型誘導子。
【請求項３】
溝内張りは、二重Ｕの形状である溝を伴っている細長いユニットである、請求項１中に規定されている溝型誘導子。
【請求項４】
溝内張りは入口及び出口が形成されている上壁を備えており、前記設置の為のフランジが上壁から外に向かい延出している、請求項１乃至３の何れか１項に規定されている溝型誘導子。
【請求項５】
溝内張りは上壁の輪郭から延出した側壁を備えており、前記設置の為のフランジが側壁の上縁から外に向かい延出していて、それにより出入場又はフォアベイを規定している、請求項１中に規定されている溝型誘導子。
【請求項６】
溝内張りの為の支持体を備えており、支持体は耐熱材料を備えている、請求項１乃至５の何れか１項中に規定されている溝型誘導子。
【請求項７】
溝型誘導子の為の溝内張りであって、溝型誘導子を通って流れる溶融金属の為の溝を規定しており、溝内張りは、溶融金属の為の入口及び出口そして溝内張りを溝型誘導子炉の鍋の耐熱材料内張りに設置する為のフランジを備えており、そして、溝内張りは溝中の溶融金属による化学的攻撃に対し抵抗するセラミック材料から形成されていて、これにより、溝型誘導電気炉の使用中における溶融金属と溝型誘導子との間の直接接触が（フランジを含んでいる）溝内張りのみとの接触に制限され、そして溶融金属は溝型誘導子の他の部位には接触しない、溝内張り。
【請求項８】
（ａ）鋼製外殻と、
（ｂ）外殻の内側の耐熱材料の内張りと、
（ｃ）耐熱材で内張りされている外殻により規定されている溶融金属の溜りを含む為の鍋と、そして
（ｄ）外殻に連結されていて、外殻及び耐熱材の内張りを通って溝型誘導子中の入口まで延出している喉を介し鍋と流体連通している、請求項１乃至６の何れか１項に規定されている、金属を加熱する為の溝型誘導子の１つまたは１つ以上と、
を備えている溝型誘導子炉。
【発明の詳細な説明】
【技術分野】
【０００１】
この発明は、溝型誘導電気炉（channel induction furnace）の溝型誘導子（channel inductor）に関係している。
【０００２】
詳細には、この発明は、溝型誘導子の溝内張り（channel liner）に関係している。
【０００３】
この発明はまた、溝型誘導電気炉に関係している。
【背景技術】
【０００４】
溝型誘導電気炉は、金属（その用語は金属合金を含む）を溶融し、そして、金属を溶融した状態に維持する、為の工業において使用されている。例えば、溝型誘導電気炉は、アルミニウム／亜鉛−含有合金を含む、亜鉛−含有合金及びアルミニウム−含有合金を溶融し、そして、これらの合金を溶融状態に維持する、為に、鍍金（galvanising）及び鋳物（foundry）工業において使用されている。
【０００５】
知られている溝型誘導電気炉は、（ａ）鋼製外殻（steel shell），（ｂ）外殻の内側の、アルミノシリケート（aluminosilicate）の如き耐熱材料の内張り，（ｃ）耐熱材で内張りされている外殻により規定されている溶融金属の槽（bath）を含む為の鍋（pot），そして（ｄ）外殻に連結されていて、耐熱材で内張りされている外殻を通って溝型誘導子中の入口まで延出している喉（throat）を介し鍋と流体連通している、金属を加熱する為の１つまたは１つ以上の溝型誘導子を備えている。
【０００６】
溝型誘導子は、（ｉ）鋼製外殻（steel shell），（ｉｉ）アルミノシリケート（aluminosilicate）の如き耐熱材料の内張り（鋳造可能（castable）又は乾式−振動可能（dry-vibratable）耐火材の何れか），（ｉｉｉ）溝を通って鍋から流れ、そして鍋中に戻る溶融金属の為の通路を形成する、耐熱材で内張りされている外殻により規定されている溝（channel），そして（ｉｖ）電磁場を発生する電磁コイルを備えている。任意の所定時間に溝中の溶融金属は変圧器（transformer）の二次回路になり、電磁場により励起された電流により加熱され溶融を維持する。溝型誘導子は外殻上のボルト止め組立体である。内張りを形成している耐熱材料は、特定の機械的要求，耐熱要求，そしてアルミニウム及び／又は亜鉛による化学的攻撃に対する抵抗要求の或る範囲に適合するよう選択されている。これらの要求は、異なった材料性質を必要とする程度の要求と争い、そしてひいては耐熱材料の選択を妥協する傾向にある。
【０００７】
溝型誘導子は、亜鉛−含有及びアルミニウム−含有合金において制限された寿命を有しており、そして、典型的には以下の状態に陥る：
・加熱，乾燥，又は動作中の、特に溝型誘導子の中央平面に沿った、耐熱材料の割れ、そして、それに続く割れを拡大する割れ中への亜鉛及び／又はアルミニウム金属又は亜鉛蒸気の浸透、最終的には溝型誘導子からの金属の漏れという結果になる。
【０００８】
・さらには、アルミニウム−含有合金の場合には、アルミニウムによる耐熱材料中の二酸化珪素（ＳｉＯ２）の還元により、耐熱材料の容積における減少と耐熱材料の浸透及び／又はスポーリング（spalling）を伴う、アルミナ（Ａｌ２Ｏ３）及び珪素（Ｓｉ）の形成である。
【０００９】
典型的には、アルミニウム−含有合金における溝型誘導子の寿命は６〜２４ケ月であり、金属被覆線遮断の為の主たる理由の１つである。
【００１０】
上の議論は、オーストラリア及び他の地域における共通の一般知識の供述になることが意図されていない。
【発明の概要】
【００１１】
この発明は、溝型誘導電気炉の溝型誘導子であって、溝型誘導子を通って流れる溶融金属の為の溝を規定している溝内張りを備えており、溝内張りは、溶融金属の為の入口及び出口そして溝内張りを溝型誘導子炉の鍋の耐熱材料内張りに設置する為のフランジを備えており、そして、溝内張りは溝中の溶融金属による化学的攻撃に対し抵抗するセラミック材料から形成されていて、これにより、溝型誘導電気炉の使用中における溶融金属と溝型誘導子との間の直接接触が（フランジを含んでいる）溝内張りのみとの接触に制限され、そして溶融金属は溝型誘導子の他の部位には接触しない、溝型誘導子を提供する。
【００１２】
用語「化学的攻撃（chemical attack）」は、ここでは、耐熱物酸化物（refractory oxides）の熱力学還元（thermodynamic reduction）（この場合では、炉中における、アルミニウムの如き、溶融金属との接触による）又は（亜鉛（Ｚｎ）又はアルミニウム（Ａｌ）又は亜鉛−アルミニウム合金の如き）溶融金属又は（亜鉛の如き）蒸気による耐熱物の浸透を意味していると理解される。
【００１３】
溝内張りの上述した構造は、溝型誘電子のその部位の為に要求されている性質の見地から最適になるよう夫々が選択される異なった材料から溝型誘導子の異なった部位が作られることを可能にする。
【００１４】
詳細には：
・溝内張りは、鍋中のアルミニウム及び／又は亜鉛含有の如き）溶融金属による攻撃に対し化学的に抵抗する材料から形成されることが出来る。
【００１５】
結果として、亜鉛−含有及びアルミニウム−含有合金の形態の溶融金属の場合においては、溝内張りの為の支持体を形成している耐熱材料中への内張りを通過した、亜鉛蒸気又は亜鉛−含有又はアルミニウム含有溶融金属の浸透の危険性が減少される。
【００１６】
・溝型誘導子の溝内張り支持体を形成していて、鋳造可能又は乾燥−振動可能（dry-vibratable）材料であることが出来る、耐熱材料を、溝内張りの結合性（integrity）が溝型誘導電気炉の加熱，乾燥，又は運転の間に損なわれないような熱絶縁材料特性及び機械的強度特性の為に最適にさせることが出来る。
【００１７】
溝内張りは単一要素ユニットとして形成されることが出来る。
【００１８】
溝内張りは如何なる適切な形状であることが出来る。
【００１９】
溝内張りは如何なる適切な材料から形成されていることが出来る。
【００２０】
溝内張りは、単一Ｕの形状である溝を伴っている細長いユニット（「単一ループ誘導子（single loop inductor）」）であることが出来る。より詳細には、溝は、溝の基礎から延出している２つの腕を備えていて良く、溝の一方の腕の端には溶融金属入口を、そして溝の他方の腕の端には溶融金属出口を伴っていて、これにより溶融金属は、一方の腕を通って基礎へと、そして基礎を通って他方の腕へと、そして他方の腕に沿い流れることが出来る。
【００２１】
溝内張りは、二重Ｕの形状である溝を伴っている細長いユニットであることが出来る。より詳細には、溝は、溝の基礎から延出している３つの腕を備えていて良く、溝の基礎はこれ等の腕を相互連結していて、溝の中央腕の端には溶融金属入口を、溝の外側の腕の端には溶融金属出口を伴っていて、これにより溶融金属は内側腕を通って基礎へと、そして基礎を外側で通って外側腕へと、そして外側腕に沿い流れることが出来る。
【００２２】
溝内張りは入口及び出口が形成されている上壁を有しており、前記設置の為のフランジが上壁から外に向かい延出していることが出来る。
【００２３】
溝内張りは上壁の輪郭から延出した側壁を備えており、前記設置の為のフランジが側壁の上縁から外に向かい延出していることが出来る。この構成は、出入場（vestibule）又はフォアベイ（forebay）を規定する。
【００２４】
溝内張りは、溶融金属に対する化学的抵抗の見地から如何なる適切なセラミック材料から形成されることが出来る。
【００２５】
溝内張りの為の支持体を備えており、支持体は耐熱材料を備えていて良い。
【００２６】
溝内張り支持体の耐熱材料は、溝型誘導子の為の最適な熱絶縁材料特性及び機械的強度特性を有するよう選択されることが出来る。
【００２７】
溝内張り支持体はさらに外側鋼製外殻を備えて良い。
【００２８】
この発明はまた、溝型誘導子の為の溝内張りであって、溝型誘導子を通って流れる溶融金属の為の溝を規定しており、溝内張りは、溶融金属の為の入口及び出口そして溝内張りを溝型誘導子炉の鍋の耐熱材料内張りに設置する為のフランジを備えており、そして、溝内張りは溝中の溶融金属による化学的攻撃に対し抵抗するセラミック材料から形成されていて、これにより、溝型誘導電気炉の使用中における溶融金属と溝型誘導子との間の直接接触が（フランジを含んでいる）溝内張りのみとの接触に制限され、そして溶融金属は溝型誘導子の他の部位には接触しない、溝内張りを提供する。
【００２９】
溝内張りは単一要素ユニットとして形成されることが出来る。
【００３０】
溝内張りは如何なる適切な形状であることが出来る。
【００３１】
溝内張りは如何なる適切な材料から形成されていることが出来る。
【００３２】
溝内張りは、単一Ｕの形状である溝を伴っている細長いユニットであることが出来、溝は、溝の基礎から延出している２つの腕を備えていて、溝の一方の腕の端には溶融金属入口を、そして溝の他方の腕の端には溶融金属出口を伴っていて、これにより溶融金属は、一方の腕を通って基礎へと、そして基礎を通って他方の腕へと、そして他方の腕に沿い流れることが出来る。
【００３３】
溝内張りは、二重Ｕの形状である溝を伴っている細長いユニットであることが出来、溝は、溝の基礎から延出している３つの腕を備えていて、溝の基礎はこれ等の腕を相互連結していて、そして、溝の中央腕の端には溶融金属入口を、溝の外側の腕の端には溶融金属出口を伴っていて、これにより溶融金属は内側腕を通って基礎へと、そして基礎を外側で通って外側腕へと、そして外側腕に沿い流れることが出来る。
【００３４】
溝内張りは入口及び出口が形成されている上壁を有しており、前記設置の為のフランジが上壁から外に向かい延出していることが出来る。
【００３５】
溝内張りは上壁の輪郭から延出した側壁を備えており、前記設置の為のフランジが側壁の上縁から外に向かい延出していることが出来る。この構成は、出入場（vestibule）又はフォアベイ（forebay）を規定する。
【００３６】
溝内張りは、溶融金属に対する化学的抵抗の見地から如何なる適切なセラミック材料から形成されることが出来る。
【００３７】
この発明はまた、
（ａ）鋼製外殻と、
（ｂ）外殻の内側の耐熱材料の内張りと、
（ｃ）耐熱材で内張りされている外殻により規定されている溶融金属の溜り（pool）を含む為の鍋と、そして
（ｄ）外殻に連結されていて、外殻及び耐熱材の内張りを通って溝型誘導子中の入口まで延出している喉（throat）を介し鍋と流体連通している、上に記載されている、金属を加熱する為の溝型誘導子の１つまたは１つ以上と、
を備えている溝型誘導子炉を提供する。
【図面の簡単な説明】
【００３８】
この発明は添付の図面を参照した例により更に記載される。
【図１】図１は、この発明に従った溝型誘導子の一実施形態を含む、この発明に従った溝型誘導子炉の一実施形態の縦断面図である。
【図２】図２は、この発明に従った溝型誘導子の一実施形態の縦断面図である。
【発明を実施するための形態】
【００３９】
図１は、鋼ストリップ（steel strip）の為の金属被覆線（metal coating line）中における使用の為のアルミニウム／亜鉛合金を予溶融する為の溝型誘導子炉３の主要な構成要素の断面図である。
【００４０】
この発明は、この最終用途に限定されず、如何なる適切な溝型誘導電気炉の部位として、及び如何なる適切な最終用途適用の為に、使用されて良い。
【００４１】
図１中に示されている溝型誘導子炉３は、外側鋼製外殻２７及びアルミノシリケート（aluminosilicate）の如き耐熱材料の内張り（inner lining）２９を備えている。使用中に、鍋は、アルミニウム／亜鉛合金の槽（bath）を含む。炉３はまた、鋼製外殻２７の正反対の側壁に連結されているとともに個々の喉（throat）３３を介し槽と流体連通している２つの溝型誘導子３１を含む。使用中に、溶融アルミニウム／亜鉛合金は、槽から溝型誘導子３１中にそして溝型誘導子３１を通って流れ、溝型誘導子３１により加熱されている。
【００４２】
図２中の溝型誘導子３３の図は、この発明に特に関係している誘導子の構成要素を示す為の縦断面図である。さらには、これ等の構成要素を出来る限り明確にする為に、誘導子３３の電磁誘導コイルは、図中の開口１中には含まれていない。
【００４３】
溝型誘導子３３は：
（ａ）溝内張り、数字５により全体的に指摘されている、そして
（ｂ）溝内張りの為の支持体、
を備えている。
【００４４】
溝内張り５は、溶融アルミニウム／亜鉛合金及び亜鉛蒸気に関し化学的に抵抗する材料である材料から成型されている。溝内張り５は、上に記載された開口１及び溝型誘導子を通って流れる溶融アルミニウム／亜鉛合金の為の二重「Ｕ」形状の溝を規定している単一要素の細長いユニットである。溝は、基礎と、基礎から延出している３つの平行な腕９と、を備える。溝の中央腕の上端は溶融アルミニウム／亜鉛合金の為の入口１５であり、そして、溝の両外側の上端は溶融アルミニウム／亜鉛合金の為の出口１７である。溝の基礎は溝内張り５の基礎区域７により規定されていて、溝の複数の腕は溝内張り５の立ち上がり区域９により規定されている。これらの区域７，９は、薄い壁の中空区域である。溝内張り５は上壁１１を有しており、そして溶融アルミニウム／亜鉛合金流れの為の入口１５及び出口１７が上壁１１中に形成されている。溝内張り５はまた、上壁１１の周縁の周りを延出した側壁２１及び側壁２１から外方に延出したフランジ１９を備えている。上壁１１及び側壁２１は、出入場（vestibule）又はフォアベイ（forebay）を規定する。フランジ１９は、溝内張り５を溝誘導子炉の鍋（pot）（示されていない）の鍋のど（pot throat）（示されていない）を規定している耐熱材料内張り（示されていない）に対し設置する為に設けられており、これにより溶融アルミニウム／亜鉛合金と溝型誘導子との間の直接接触が溝内張り５のみとの接触に限定されている。
【００４５】
溝内張り支持体は、外側鋼製外殻２３及び耐熱材料の内張り２５を備える。耐熱材料は、外殻２３と溝内張り５との間の空間を満たす。溶融アルミニウム／亜鉛合金と溝型誘導子との間の接触は溝内張り５と接触することに限定されているので、耐熱材料は、化学的抵抗性質を考慮に入れることなく、溝誘導子の為の熱絶縁及び機械的強度の為に最適である耐熱材料から選択されることが出来る。
【００４６】
上に記載された溝型誘導子は、溝型誘導子の為の故障形態としての化学的攻撃及び割れを最小にする。
【００４７】
この発明の精神及び権利範囲から離れることなく上に記載されたこの発明の実施形態に対し多くの変形例を作成することが出来る。
【００４８】
一例として、この発明は図中に示されている溝型誘導子３の特定の形状に限定されることはない。
【００４９】
さらなる例として、この発明は、二重の「Ｕ」形状の溝内張り５に限定されることがなく、そしてまた一例として単一の「Ｕ」形状の溝内張り５に拡張することが出来る。
【００５０】
さらなる例として、この発明は、単一要素ユニットとして形成されている溝内張り５に限定されない。
【図１】
2018059700.tif 000003
【図２】
2018059700.tif 000004
【手続補正書】
【提出日】平成29年9月29日(2017.9.29)
【手続補正１】
【補正対象書類名】特許請求の範囲
【補正対象項目名】全文
【補正方法】変更
【補正の内容】
【特許請求の範囲】
【請求項１】
溝型誘導電気炉の溝型誘導子であって、前記溝型誘導子は、
（ａ）鍋に収容された溶融金属のための溝を画定する溝内張りであって、前記溶融金属は前記溝内張りにより流体連通して溝型誘導子を通って流れ、
前記溝は、基礎と、前記基礎から延出している、前記溶融金属のための入口を含む中央の腕と前記溶融金属のための出口を含む両外側の腕とからなる3つの平行な腕を備え、
前記溝内張りは、頂壁によって規定された出入場(vestibule)またはフォアベイ（forebay）と、上壁の輪郭から上方に延出した側壁と、前記溝の前記入口および前記出口が前記頂壁に形成され、前記側壁の上端から外向きに延びる前記溝型誘導電気炉の鍋の耐熱材料内張りに取り付けるための取り付けフランジとを備え、そして、前記溝内張りは前記溝中の前記溶融金属による化学的攻撃に対し抵抗するセラミック材料から単一要素ユニットとして成型されていて、これにより、前記溝型誘導電気炉の使用中における、前記溶融金属と前記溝型誘導子との間の直接接触が（フランジを含んでいる）前記溝内張りのみとの接触に制限され、前記溶融金属は前記溝型誘導子の他の部位には接触しない、前記溝内張りと、
（b）溝内張りの支持体であって、前記支持体は、外殻及び前記外殻と前記溝内張りの前記セラミック材料との間に位置されている耐熱材料の内張りを備えており、前記耐熱材料は、前記溝型誘導子のために熱絶縁及び機械的強度に関して供給される材料から選択された、前記支持体と、
（c）電磁コイルと
を備える溝型誘導子。
【請求項２】
溝型誘導電気炉であって、
（a）鋼製外殻と、
（b）前記外殻の内側の耐熱材料の内張りであって、前記耐熱材料が内張りされた外殻は、基部と、上方に延びる側面とを含む、内張りと、
（c）前記耐熱材料で内張りされている前記外殻により規定されている溶融金属の溜りを含むための鍋と、
（d）前記鍋に含まれ、各溝型誘導子は前記外殻に連結されて、前記鍋と流体連通している、２つまたは２つ以上の請求項１に記載されている金属を加熱するための溝型誘導子と、
（e）前記鍋と前記溝型誘導子とを相互接続する2つまたは2つ以上の喉であって、各喉は、前記耐熱材料が内張りされた外殻の前記側面を通って前記溝型誘導子の前記入口及び前記出口に延びている前記喉と、
を備えている溝型誘導電気炉。
【手続補正２】
【補正対象書類名】明細書
【補正対象項目名】００１１
【補正方法】変更
【補正の内容】
【００１１】
この発明は、溝型誘導電気炉の溝型誘導子であって：（ａ）溝型誘導子を通って流れる溶融金属の為の溝を規定している溝内張りを備えており、前記溝は、溶融金属の為の入口及び出口を備えていて、前記溝内張りは、上壁及び前記溝内張りを溝型誘導電気炉の鍋の耐熱材料内張りに設置する為のフランジを備えており、前記フランジは、前記上壁から外に向かい延出していて、前記溝の前記入口及び前記出口が前記上壁中に形成されていて、そして、前記溝内張りは前記溝中の前記溶融金属による化学的攻撃に対し抵抗するセラミック材料から単一要素ユニットとして成型されていて、これにより、前記溝型誘導電気炉の使用中における前記溶融金属と前記溝型誘導子との間の直接接触が前記溝内張りのみとの接触に制限され、そして前記溶融金属は前記溝型誘導子の他の部位には接触せず；そして、（ｂ）前記溝内張りの支持体を備えており、前記支持体は、外殻及び前記外殻と前記溝内張りの前記セラミック材料との間に位置されている耐熱材料の内張りを備えており、そして前記耐熱材料が前記溝型誘導子の為の最適な熱絶縁及び機械的強度の材料である、
溝型誘導子を提供する。
【手続補正３】
【補正対象書類名】明細書
【補正対象項目名】００２５
【補正方法】削除
【補正の内容】
【手続補正４】
【補正対象書類名】明細書
【補正対象項目名】００２８
【補正方法】削除
【補正の内容】
【手続補正５】
【補正対象書類名】明細書
【補正対象項目名】００３７
【補正方法】変更
【補正の内容】
【００３７】
この発明はまた、
（ａ）鋼製外殻と、
（ｂ）外殻の内側の耐熱材料の内張りと、
（ｃ）耐熱材で内張りされている外殻により規定されている溶融金属の溜り（pool）を含む為の鍋と、そして
（ｄ）外殻に連結されていて、外殻及び耐熱材の内張りを通って溝型誘導子中の入口まで延出している喉（throat）を介し鍋と流体連通している、上に記載されている、金属を加熱する為の溝型誘導子の１つまたは１つ以上と、
を備えている溝型誘導電気炉を提供する。
【手続補正６】
【補正対象書類名】明細書
【補正対象項目名】００５０
【補正方法】変更
【補正の内容】
【００５０】
さらなる例として、この発明は、単一要素ユニットとして形成されている溝内張り５に限定されない。
この明細書の記載には、以下の発明が含まれている。
［１］．
溝型誘導電気炉の溝型誘導子であって、溝型誘導子を通って流れる溶融金属の為の溝を規定している溝内張りを備えており、溝内張りは、溶融金属の為の入口及び出口そして溝内張りを溝型誘導子炉の鍋の耐熱材料内張りに設置する為のフランジを備えており、そして、溝内張りは溝中の溶融金属による化学的攻撃に対し抵抗するセラミック材料から形成されていて、これにより、溝型誘導電気炉の使用中における溶融金属と溝型誘導子との間の直接接触が（フランジを含んでいる）溝内張りのみとの接触に制限され、そして溶融金属は溝型誘導子の他の部位には接触しない、溝型誘導子。
［２］．
溝内張りは、単一Ｕの形状である溝を伴っている細長いユニットである、前記［１］．中に規定されている溝型誘導子。
［３］．
溝内張りは、二重Ｕの形状である溝を伴っている細長いユニットである、前記［１］．中に規定されている溝型誘導子。
［４］．
溝内張りは入口及び出口が形成されている上壁を備えており、前記設置の為のフランジが上壁から外に向かい延出している、前記［１］．乃至［３］．の何れか１つに規定されている溝型誘導子。
［５］．
溝内張りは上壁の輪郭から延出した側壁を備えており、前記設置の為のフランジが側壁の上縁から外に向かい延出していて、それにより出入場又はフォアベイを規定している、前記［１］．中に規定されている溝型誘導子。
［６］．
溝内張りの為の支持体を備えており、支持体は耐熱材料を備えている、前記［１］．乃至［５］．の何れか１つに規定されている溝型誘導子。
［７］．溝型誘導子の為の溝内張りであって、溝型誘導子を通って流れる溶融金属の為の溝を規定しており、溝内張りは、溶融金属の為の入口及び出口そして溝内張りを溝型誘導子炉の鍋の耐熱材料内張りに設置する為のフランジを備えており、そして、溝内張りは溝中の溶融金属による化学的攻撃に対し抵抗するセラミック材料から形成されていて、これにより、溝型誘導電気炉の使用中における溶融金属と溝型誘導子との間の直接接触が（フランジを含んでいる）溝内張りのみとの接触に制限され、そして溶融金属は溝型誘導子の他の部位には接触しない、溝内張り。
［８］．
（ａ）鋼製外殻と、
（ｂ）外殻の内側の耐熱材料の内張りと、
（ｃ）耐熱材で内張りされている外殻により規定されている溶融金属の溜りを含む為の鍋と、そして
（ｄ）外殻に連結されていて、外殻及び耐熱材の内張りを通って溝型誘導子中の入口まで延出している喉を介し鍋と流体連通している、前記［１］乃至［６］．の何れか１つに規定されている、金属を加熱する為の溝型誘導子の１つまたは１つ以上と、
を備えている溝型誘導子炉。
【手続補正書】
【提出日】平成29年10月18日(2017.10.18)
【手続補正１】
【補正対象書類名】特許請求の範囲
【補正対象項目名】全文
【補正方法】変更
【補正の内容】
【特許請求の範囲】
【請求項１】
溝型誘導電気炉の溝型誘導子であって、前記溝型誘導子は、
（ａ）鍋に収容された溶融金属のための溝を画定する溝内張りであって、前記溶融金属は前記溝内張りにより流体連通して溝型誘導子を通って流れ、
前記溝は、基礎と、前記基礎から延出している、前記溶融金属のための入口を含む中央の腕と前記溶融金属のための出口を含む両外側の腕とからなる3つの平行な腕を備え、
前記溝内張りは、頂壁によって規定された出入場(vestibule)またはフォアベイ（forebay）と、上壁の輪郭から上方に延出した側壁と、前記溝の前記入口および前記出口が前記頂壁に形成され、前記側壁の上端から外向きに延びる前記溝型誘導電気炉の鍋の耐熱材料内張りに取り付けるための取り付けフランジとを備え、そして、前記溝内張りは前記溝中の前記溶融金属による化学的攻撃に対し抵抗するセラミック材料から単一要素ユニットとして成型されていて、これにより、前記溝型誘導電気炉の使用中における、前記溶融金属と前記溝型誘導子との間の直接接触が（フランジを含んでいる）前記溝内張りのみとの接触に制限され、前記溶融金属は前記溝型誘導子の他の部位には接触しない、前記溝内張りと、
（b）溝内張りの支持体であって、前記支持体は、外殻及び前記外殻と前記溝内張りの前記セラミック材料との間に位置されている耐熱材料の内張りを備えており、前記耐熱材料は、前記溝型誘導子のために熱絶縁及び機械的強度に関して供給される窒化処理された金属板を除く材料から選択された、前記支持体と、
（c）電磁コイルと
を備える溝型誘導子。
【請求項２】
溝型誘導電気炉であって、
（a）鋼製外殻と、
（b）前記外殻の内側の耐熱材料の内張りであって、前記耐熱材料が内張りされた外殻は、基部と、上方に延びる側面とを含む、内張りと、
（c）前記耐熱材料で内張りされている前記外殻により規定されている溶融金属の溜りを含むための鍋と、
（d）前記鍋に含まれ、各溝型誘導子は前記外殻に連結されて、前記鍋と流体連通している、２つまたは２つ以上の請求項１に記載されている金属を加熱するための溝型誘導子と、
（e）前記鍋と前記溝型誘導子とを相互接続する2つまたは2つ以上の喉であって、各喉は、前記耐熱材料が内張りされた外殻の前記側面を通って前記溝型誘導子の前記入口及び前記出口に延びている前記喉と、
を備えている溝型誘導電気炉。
【外国語明細書】
2018059700000001.pdf